(57)【要約】【課題】ブランケットの一部のみを交換したい場合であっても、ブランケット全体を張り替える必要がなく、ブランケットの貼り付け位置の調整に時間がかかることのないブランケットを提供すること。【解決手段】基盤部材１１１及び交換部材１２０を有するオフセット印刷用のブランケット１１０であって、基盤部材１１１には、交換部材１２０を嵌め込み可能な少なくとも１つの受入れ凹部１１２が設けられ、交換部材１２０は、受入れ凹部１１２に着脱可能に構成されていることを特徴とするオフセット印刷用のブランケット１１０、および、これを用いたオフセット印刷装置１００。【選択図】図１
2018008387.tif 000002
【特許請求の範囲】
【請求項１】
基盤部材及び交換部材を有するオフセット印刷用のブランケットであって、
前記基盤部材には、前記交換部材を嵌め込み可能な少なくとも１つの受入れ凹部が設けられ、
前記交換部材は、受入れ凹部に着脱可能に構成されていることを特徴とするオフセット印刷用のブランケット。
【請求項２】
前記基盤部材の前記受入れ凹部の内周面及び前記交換部材の外周面の少なくとも一方には、印刷面側に、離間溝部が形成されていることを特徴とする請求項１に記載のオフセット印刷用のブランケット。
【請求項３】
前記基盤部材は、外表面に印刷面を備えたゴム層と、前記ゴム層の内面側に基材層と、を有し、
前記離間溝部の深さは、前記ゴム層の厚みよりも浅いことを特徴とする請求項２に記載のオフセット印刷用のブランケット。
【請求項４】
前記受入れ凹部の下部側には、クッション部材が備えられていることを特徴とする請求項１乃至請求項３のいずれかに記載のオフセット印刷用のブランケット。
【請求項５】
請求項１乃至請求項４のいずれかに記載のオフセット印刷用のブランケットを、ブランケットホイール表面のブランケット装着基盤に装着したことを特徴とするオフセット印刷装置。
【発明の詳細な説明】
【技術分野】
【０００１】
本発明は、オフセット印刷用のブランケット及びオフセット印刷装置に関するものであり、特に彫刻され交換可能な部材を有するブランケットを備えたオフセット印刷用のブランケット及びオフセット印刷装置に関する。
【背景技術】
【０００２】
従来、缶やペットボトルのラベル等の印刷対象に対する印刷方法として、各色インカーのプレートシリンダに樹脂凸版を備え、樹脂凸版からの各色インキをブランケットに転写し、ブランケットから印刷対象に転写印刷するドライオフセット方式が多く用いられている。ブランケットは、画面寸法安定性やブランケットの交換適性などの理由から接着式ブランケットが使用されていることは公知である。ブランケットは、印刷面を形成する平滑なゴム層と、印刷機の所定の位置に貼り付けるための接着層と、ゴム層と接着層に挟まれた基材層とで構成されているのが一般的である。
ところが、近年では、２ピース缶のオフセット印刷に、ブランケットの一部を彫刻し、インキの乗らないブランク部を作ることで、第二のデザインを形成、印刷する、ドライオフセット印刷の技術開発が進められている。
【０００３】
例えば、特許文献１で公知の缶の印刷装置は、所定の間隔でブランケットを装着可能なブランケットホイールと、ブランケットホイールの周りに複数配置されているプレートシリンダと、ブランケットホイールに装着されたブランケットにプレートシリンダを介してインキを供給するインカーと、コンベアから缶を移載してブランケットホイール上のブランケットと転動接触させるマンドレルホイールとを有しており、インカーから供給されたインキがプレートシリンダによってブランケットに転写され、さらにブランケットと缶とが転動接触することで、缶の円筒面に印刷が施されるものである。
【０００４】
また、それぞれのブランケットには、通常の転写ブランケットのように単なる平滑面ではなく、プレートシリンダからインクが供給されない箇所として浅浮き彫り（ローレリーフ、浅い凹部）のブランク部をそれぞれ有している。このことによって、缶製造ラインの最後で、それぞれのブランケットごとにブランク部またはインプリント配置の一部が異なるパレット（複数の缶）を得ることが可能となり、缶の円筒面に一部が異なるデザインを印刷した製品を、同一の印刷装置から、連続して製造することが可能となる。
【０００５】
ところで、ブランケットを貼り替える必要がある場合は、ブランケットの貼り付け位置の精度を確保するために作業者に熟練を要したり、作業に長時間を要したりすることによって、生産効率が低下する虞があるが、このような生産効率の低下を防ぐものとして、特許文献２の缶の印刷装置が公知である。
特許文献２で公知の缶の印刷装置は、中心軸周りに回転するブランケットホイールと、ブランケットホイールの外周に配置されるブランケットとを備える印刷装置であって、ブランケットホイールの外周に着脱可能に配設されるとともに、ブランケットを固定する固定部が設けられているスリーブアタッチメントと、ブランケットホイール、スリーブアタッチメント及びブランケットを相対的に位置決めする位置決め手段とを備えており、スリーブアタッチメントの外周にはブランケットが固定部により固定可能とされ、ブランケットホイール、スリーブアタッチメント及びブランケットが位置決め手段により相対的に位置決めされるので、ブランケットの貼り替えを簡単に位置精度よく行うことが可能となる。
【先行技術文献】
【特許文献】
【０００６】
【特許文献１】特表２０１５−５２６３１７号公報
【特許文献２】特開２００９−２２６６４８号公報
【発明の概要】
【発明が解決しようとする課題】
【０００７】
ところが、特許文献２の印刷装置では、ブランク部等のデザインの一部のみが異なるブランケットに交換する場合であっても、ブランケット全体を貼り替える必要があり、位置決め手段を備えているとしても、ブランケット全体の細かい貼り付け位置の調整に時間がかかる問題があった。また、ブランク部周辺のみが破損した場合においても、ブランケット全体を貼り替える必要があり、ブランケット全体の細かい貼り付け位置の調整に時間がかかる問題があった。また、交換用のブランケット全体の製作にかかるコストも増える問題があった。
【０００８】
本発明は、これらの問題点を解決するものであり、ブランケットの一部のみを交換したい場合であっても、ブランケット全体を貼り替える必要がなく、ブランケットの貼り付け位置の調整に時間がかかることのないオフセット印刷用のブランケットを提供することを目的とするものである。
【課題を解決するための手段】
【０００９】
本発明のオフセット印刷用のブランケットは、基盤部材及び交換部材を有するオフセット印刷用のブランケットであって、前記基盤部材には、前記交換部材を嵌め込み可能な少なくとも１つの受入れ凹部が設けられ、前記交換部材は、受入れ凹部に着脱可能に構成されている。
また、本発明のオフセット印刷装置は、上記のオフセット印刷用のブランケットをブランケットホイール表面のブランケット装着基盤に装着している。
【発明の効果】
【００１０】
本発明のオフセット印刷用のブランケット及びオフセット印刷装置によれば、ブランケットは基盤部材及び交換部材を有し、ブランケットの基盤部材には、交換部材を嵌め込み可能な少なくとも１つの受入れ凹部が設けられているため、デザインが異なる別の交換部材を受入れ凹部に嵌め込むことで、ブランケット全体を貼り替えることなくブランケットのデザインを変更できる。これによって、ブランケット全体の貼り付け位置の調整を行う必要がなく、交換部材を受入れ凹部に合わせるだけで短時間で簡単にブランケットのデザインを変更することができる。
【図面の簡単な説明】
【００１１】
【図１】本発明の一実施形態に係るオフセット印刷用のブランケット１１０の斜視図。
【図２】本発明の一実施形態に係るオフセット印刷用のブランケット１１０の断面図。
【図３】本発明の一実施形態に係るオフセット印刷装置１００の全体模式図。
【図４】本発明の一実施形態に係るオフセット印刷装置１００のブランケットホイール１３０とプレートシリンダ１３４の接触箇所周辺の拡大図。
【図５】本発明の一実施形態に係るオフセット印刷用のブランケット１１０にインキＰを転写する前後のブランケット１１０及び印刷版１３５の状態を示す断面図及び上面図。
【図６】本発明の一実施形態に係るオフセット印刷用のブランケット１１０に載せたインキＰを缶Ｃに転写する工程を示す模式図。
【発明を実施するための形態】
【００１２】
以下に、本発明の一実施形態に係るオフセット印刷用のブランケット１１０及びオフセット印刷装置１００について、図面に基づいて説明する。
本発明の一実施形態に係るオフセット印刷用のブランケット１１０は、図１及び図２に示すように、基盤部材１１１及び交換部材１２０を有するオフセット印刷用のブランケット１１０であって、基盤部材１１１には、交換部材１２０を嵌め込み可能な受入れ凹部として受入れ孔１１２が設けられ、交換部材１２０は、受入れ孔１１２に着脱可能に構成されている。
また、基盤部材１１１は、外表面に印刷面を備えたゴム層１１３と、ゴム層１１３の内面側に基材層１１５とを有しており、基材層１１５は、印刷時の版圧が好適になるよう基布層とスポンジ層との２層構造が好ましい。ゴム層１１３は、例えばアクリロニトリルブタジエンゴム（ＮＢＲ）で形成される。基布層は、例えばナイロン繊維やポリエステル繊維などの樹脂繊維を含んで形成される織布、または、綿布などで形成される。スポンジ層はゴム（例えばクロロプレンゴム、アクリロニトリルブタジエンゴム（ＮＢＲ）、水素添加アクリロニトリルブタジエンゴム（ＨＮＢＲ）等）または合成樹脂（例えばポリウレタン）などの発泡体で形成される。基布層およびスポンジ層は、いずれも、印刷インクや洗浄用溶剤などの液体を透過する。
基材層１１５のゴム層１１３側と反対側（内面側）には、公知のポリエステルウレタン系、あるいはエポキシ系接着剤、または、ゴム系、あるいはアクリル系、エポキシ系、ビニルエーテル系の合成樹脂をベースとする粘着剤からなる接着材が備えられる。本実施形態では、接着材として層状の接着層１１６が備えられている。
【００１３】
また、基盤部材１１１の受入れ孔１１２の上部外側には、印刷面側からゴム層１１３を貫通しない深さの離間溝部１１４が形成されている。これによって、受入れ孔１１２に交換部材１２０を嵌め込んでも、基盤部材１１１と交換部材１２０の互いの印刷面が接触することがない。
さらに、基盤部材１１１の受入れ孔１１２の下部側には、クッション部材１１７が備えられている。クッション部材１１７は、例えばポリウレタンやポリエチレンなどの合成樹脂からなるスポンジ状の部材が好ましく、両面テープや接着材などによって基盤部材１１１に固定、または、後述のブランケットホイール１３０側（ブランケット装着基盤１３１側）に直接固定される。
交換部材１２０には、平滑な印刷面側の一部に凹状のブランク部１２１が設けられるとともに、交換部材１２０の上部には、下部よりも拡径されたフランジ部１２２が形成されている。図２（ａ）に示すように、交換部材１２０は、受入れ孔１１２にはめ込まれた際、基材層１１５やクッション部材１１７を印刷面側から隙間なく覆っている。
なお、基盤部材１１１の受入れ孔１１２の上部外側の形状及び交換部材１２０の上部の形状はこれに限定されない。例えば、図２（ｂ）に示すように、交換部材１２０にフランジ部１２２がなくてもよく、図２（ｃ）に示すように、交換部材１２０側の上部に離間溝部１１４を設けてもよく、図２（ｄ）に示すように、基盤部材１１１と交換部材１２０の両方に離間溝部１１４を設けてもよい。
【００１４】
本発明の一実施形態に係るオフセット印刷装置１００は、図３及び図４に示すように、ブランケットホイール１３０を有している。円柱状のブランケットホイール１３０の側面には、ブランケット１１０を接着材によって装着可能なブランケット装着基盤１３１が複数（図３は簡略化のため１つのみ記載）設けられており、ブランケット１１０を装着したまま回転可能に構成されている。交換部材１２０は、ブランケット１１０の基盤部材１１１がブランケット装着基盤１３１に装着された状態であっても、図１，２に示した受入れ孔１１２に着脱可能となっている。
ブランケットホイール１３０の周囲には、ブランケットホイール１３０と同期して回転するプレートシリンダ１３４及びマンドレルホイール１４０が設けられている。
円柱状のプレートシリンダ１３４の側面には、印刷版１３５が取り付けられている。プレートシリンダ１３４の周囲には、インカー１３２のインカーローラー１３３が複数設けられている。
マンドレルホイール１４０には、缶Ｃ内への出入り可能で、進入して缶底Ｃｂ形成側の反対側から支持し、回転可能なマンドレル１４１が設けられている（図６も参照）。
マンドレルホイール１４０の周囲には、バーニッシュコーティングユニット１５０及びトランスファーターレット１５１が隣接している。
【００１５】
次に、本発明の一実施形態に係るブランケット１１０を使用したオフセット印刷装置１００による、缶Ｃへの印刷手順について、図１乃至図６に基づいて説明する。
まず、オフセット印刷装置１００に供給された缶Ｃは、マンドレル１４１が進入して円筒面を露出した状態でマンドレル１４１に回転可能に保持され、マンドレルホイール１４０の回転によってブランケットホイール１３０側へ搬送される。
円柱状のプレートシリンダ１３４の側面に取り付けられた印刷版１３５は、プレートシリンダ１３４の回転によって、隣接するインカー１３２のインカーローラー１３３と転動接触することで、隣接するインカーローラー１３３に付着しているインキＰを印刷版１３５の表面の凸部１３６に供給される。
このとき、１つのインカー１３２から供給可能なインキＰの色は一色であるため、複数色で印刷する場合は、使用するインキＰの色数と同じ数のインカー１３２を用いて印刷版１３５にインキＰを複数色供給する。
【００１６】
インキＰが供給された印刷版１３５は、プレートシリンダ１３４の回転によってブランケットホイール１３０へ向かい、ブランケットホイール１３０の回転によってプレートシリンダ１３４側へ向かってきたブランケット１１０と転動接触する。
このとき、印刷版１３５の凸部１３６に供給されたインキＰがブランケット１１０のゴム層１１３の表面に転写されるが、基盤部材１１１の離間溝部１１４及び交換部材１２０のブランク部１２１は印刷版１３５の凸部１３６と接触しないため、離間溝部１１４とブランク部１２１にはインキＰは転写されない。
また、受入れ孔１１２に嵌め込まれた交換部材１２０の印刷面は、基盤部材１１１の印刷面よりも飛び出している。しかし、転写時に印刷版１３５から受ける押圧力によってクッション部材１１７は圧縮され、交換部材１２０の印刷面は、基盤部材１１１の印刷面と同様の高さに調整されるとともに、クッション部材１１７からの反発力で印刷版１３５と密着するため、十分にブランケット１１０の印刷面にインキＰが転写される。
【００１７】
インキＰが転写されたブランケット１１０は、ブランケットホイール１３０の回転によってマンドレルホイール１４０側へ向い、マンドレルホイール１４０の回転によってブランケットホイール１３０側へ向かってきた缶Ｃと接触し、ブランケット１１０に転写されていたインキＰがさらに缶Ｃに転写される。
このとき、缶Ｃは缶底Ｃｂ形成側と反対側をマンドレル１４１に支持され回転しているため、缶Ｃの円筒面とブランケット１１０とは転動接触する。
また、受入れ孔１１２に嵌め込まれた交換部材１２０の印刷面は、基盤部材１１１の印刷面よりも飛び出している。しかし、転写時に缶Ｃの円筒面から受ける押圧力によってクッション部材１１７は圧縮されるため、交換部材１２０の印刷面は、基盤部材１１１の印刷面と同様の高さに調整されるとともに、クッション部材１１７からの反発力で缶Ｃの円筒面と密着する。このため、缶Ｃには、ブランケット１１０の印刷面から十分にインキＰが転写される。
なお、缶Ｃの円筒面にはブランク部１２１形成面及び離間溝部１１４以外のゴム層１１３に塗布されたインキＰが転写されるため、印刷版１３５のデザインに加え、インキＰを供給されないブランク部１２１の形状によって新たなデザイン（第二のデザイン。図１の上のブランケット１１０の場合、○。図１の下のブランケット１１０や、図６のブランケット１１０の場合、△。）が施され、デザイン性が向上する。
【００１８】
また、交換部材１２０は受入れ孔１１２から着脱可能であることから、ブランケットホイール１３０から基盤部材１１１を剥がすことなく交換部材１２０のみを取り替えることができるため、交換部材１２０内のデザインのみを変更する場合は、ブランケット１１０全体の貼り付け位置の調整を行う必要がなく、交換部材１２０を受入れ孔１１２に合わせるだけで短時間で簡単にブランケット１１０のデザインを変更することができる。
さらに、インキＰがブランケット１１０の交換部材１２０の表面のみに塗布される場合は、ブランケット１１０から交換部材１２０のみを外して洗浄できるため、短時間で洗浄作業を終えることができ、迅速に印刷作業を再開できる。
【００１９】
また、受入れ孔１１２に交換部材１２０を嵌め込んでも、離間溝部１１４によって基盤部材１１１と交換部材１２０の互いの印刷面との間に十分な距離がとられ、印刷面で嵌合は行わないため、基盤部材１１１の印刷面や交換部材１２０の印刷面は歪みにくい。なお、インキＰが基盤部材１１１と交換部材１２０にまたがって塗布されることはなく、缶Ｃの印刷面に本来印刷対象ではない基盤部材１１１と交換部材１２０の境界部には印刷されない。その場合、印刷されない境界部を目立ちにくくするため、図５，図６に示すように、離間溝部１１４が目立たないデザインを印刷版１３５に形成するのが好ましい。（図５，６の例では格子状のデザインを施している。）
また、離間溝部１１４はゴム層１１３を貫通しない深さで設けられているとともに、受入れ孔１１２に交換部材１２０をはめ込んだ際、交換部材１２０は、基材層１１５やクッション部材１１７を印刷面側から隙間なく覆うことができるため、印刷面に塗布されるインキＰや洗浄剤に含まれる溶剤がゴム層１１３と基材層１１５との層間、または、基材層１１５に浸透することがなく、基材層１１５の劣化を防ぐことができ、ブランケット１１０の劣化による交換の頻度を抑えることができる。
また、離間溝部１１４にインキＰが塗布されない構成のため、インキＰは基盤部材１１１と交換部材１２０との間に入り込むことがなく、インキＰが基盤部材１１１と交換部材１２０との間を通り抜けてゴム層１１３と基材層１１５との層間、または、基材層１１５に浸透することがなく、基材層１１５の劣化を防ぐことができ、ブランケット１１０の劣化による交換の頻度をより一層抑えることができる。
【００２０】
インキＰが転写された缶Ｃは、マンドレルホイール１４０及びマンドレル１４１の回転によってバーニッシュコーティングユニット１５０と転動接触し、缶Ｃの円筒面がコーティングされる。
その後、缶Ｃはマンドレルホイール１４０からトランスファーターレット１５１へ移り、さらにピンチェーン２００に移載され、印刷焼付けオーブンなどの次工程へ搬送される。
【００２１】
以上、本発明のオフセット印刷用のブランケット及びオフセット印刷装置の実施形態を詳述したが、本発明は上記実施形態に限定されるものではなく、特許請求の範囲に記載された本発明を逸脱することなく種々の設計変更を行うことが可能である。
なお、上述した実施形態では、オフセット印刷装置はブランケットから缶の円筒面に対してインキを転写し印刷するものとして説明したが、印刷対象はこれに限定されず、例えば、円筒状に形成する前の平板状の金属板の面でもよく、あるいは、ダンボールなどの紙製品の表面でもよい。
また、上述した実施形態では、ブランク部は交換部材に設けられているものとして説明したが、ブランク部の形成位置はこれに限定されず、例えば、基盤部材にブランク部が設けられていてもよく、基盤部材から交換部材にかけてブランク部が連なっていてもよい。
また、上述した実施形態では、基材層は基布層とスポンジ層の２層で構成されているものとして説明したが、基材層の構成はこれに限定されず、例えば、単層でもよい。
【００２２】
また、上述した実施形態では、受入れ孔の下部側にはクッション部材が備えられているものとして説明したが、これに限定されず、例えば、交換部材の底面にクッション部材を貼り付けてあってもよく、クッション部材を兼ねた基材層を基盤部材に設けてもよい。
また、上述した実施形態では、接着材は、一様な層状に塗布されているものとして説明したが、接着材の塗布方法はこれに限定されず、例えば、ブランケットを接着固定できる範囲で接着材の塗布により点在させてもよい。
また、上述した実施形態では、受入れ凹部は、基盤部材を貫通して形成されている受入れ孔として説明したが、これに限定されず、例えば、基盤部材１１１を貫通しない受入れ凹部としてもよく、ゴム層を貫通しない深さで受入れ凹部を形成してもよい。そして、貫通しない受入れ凹部とした場合、クッション部材は受入れ凹部下部側である凹部の底部に備える。
【符号の説明】
【００２３】
１００  ・・・  オフセット印刷装置
１１０  ・・・  ブランケット
１１１  ・・・  基盤部材
１１２  ・・・  受入れ孔
１１３  ・・・  ゴム層
１１４  ・・・  離間溝部
１１５  ・・・  基材層
１１６  ・・・  接着層
１１７  ・・・  クッション部材
１２０  ・・・  交換部材
１２１  ・・・  ブランク部
１２２  ・・・  フランジ部
１３０  ・・・  ブランケットホイール
１３１  ・・・  ブランケット装着基盤
１３２  ・・・  インカー
１３３  ・・・  インカーローラー
１３４  ・・・  プレートシリンダ
１３５  ・・・  印刷版
１３６  ・・・  凸部
１４０  ・・・  マンドレルホイール
１４１  ・・・  マンドレル
１５０  ・・・  バーニッシュコーティングユニット
１５１  ・・・  トランスファーターレット
２００  ・・・  ピンチェーン
Ｃ      ・・・  缶
Ｃｂ    ・・・  缶底
Ｐ      ・・・  インキ
【図１】
2018008387.tif 000003
【図２】
2018008387.tif 000004
【図３】
2018008387.tif 000005
【図４】
2018008387.tif 000006
【図５】
2018008387.tif 000007
【図６】
2018008387.tif 000008